(57)【要約】【課題】除湿機は、除湿を目的に発明されたものであり、除湿機から排出される廃水を再利用する目的で構成されたものではない。そのため排出される廃水は、大気中の塵埃などの浮遊物が多く含まれており従来は、廃棄されて再利用されていない。【解決手段】除湿機の原理を応用して、無尽蔵水資源である大気中の水分から生成した原水を浄水器内に設けた、活性炭フィルター、中空糸膜フィルター、逆浸透膜フィルターで順次、ろ過することにより調理用および飲料用などに適した生活用水に利用する装置である。【選択図】図１
2004190235.tif 000002
【特許請求の範囲】
【請求項１】
大気中の水分から生活用水を得る方法において、大気中の水分から生成した原水を浄化用フィルターでろ過して、調理用および飲料用などに適した生活用水を得ることを特徴とする大気中の水分を用いた浄水器。
【請求項２】
前記、大気中の水分から原水を生成する方法として、除湿機の原理を応用した原水製造部を備えたことを特徴とする請求項１記載の大気中の水分を用いた浄水器。
【請求項３】
前記、原水から調理用および飲料用などに適した生活用水を得る請求項１記載の浄化用フィルターとして、活性炭フィルターと中空糸膜フィルターと逆浸透膜フィルターを順次接続したことを特徴とする請求項１記載の大気中の水分を用いた浄水器。
【発明の詳細な説明】
【０００１】
【発明の属する技術分野】
本発明は、無尽蔵水資源である大気中の水分から調理用および飲料用などに適した生活用水を得る浄水器に関する。
【０００２】
【従来の技術】
従来、除湿機（例えば、特許文献１参照）から排出する廃水は、廃棄され再利用されていなかった。浄水器（例えば、特許文献２参照）で浄化する水は、主に水道水から供給されていた。除湿機の原理を応用して大気中の水分から生成した原水を利用する技術は、本出願人発明の「大気中の水分を用いた発電装置」（例えば、特許文献３参照）、「大気中の水分を用いた水素製造装置」（例えば、特許文献４参照）、「大気中の水分を用いた浄水装置」（例えば、特許文献５参照）がある。
【０００３】
【特許文献１】
特開２００１−１４９７３７号
【特許文献２】
特開平０７−１２４５５３号
【特許文献３】
特願２００２−２９４４１４号
【特許文献４】
特願２００２−３３３０５４号
【特許文献５】
特願２００２−３５１８８７号
【０００４】
【発明が解決しようとする課題】
水質汚濁や水質汚染度の高い生活用水を使わざるをえない場所、上水道の配水設備がない場所および渇水による水不足地域などで調理用や飲料用に適した生活用水を確保することは重要なことである。無尽蔵水資源である大気中の水分から生成した原水をろ過して、調理用および飲料用などに適した生活用水に利用することを目的の装置である。
【０００５】
【課題を解決するための手段】
本発明は、上記目的を達成するために、集塵用フィルターを取り付けたファンにより浄水器本体内に外気を吸い込み、除湿機の原理を応用して原水を生成する。
【０００６】
生成された原水は、活性炭フィルターと中空糸膜フィルターと逆浸透膜フィルターを順次通過さして、調理用および飲料用などに適した生活用水を得ることを特徴とする。
【０００７】
【発明の実施の形態】
以下本発明の実施例を図面に基づいて説明する。図１は大気中の水分を用いた浄水器を示す概略正面図である。図において浄水器１は、集塵フィルター付き吸入ファン２、原水製造部３、原水貯留槽４、活性炭フィルター５、中空糸膜フィルター６、逆浸透膜フィルター７により構成される。
【０００８】
前記、集塵フィルター付き吸入ファン２でもって、大気中から本体内に吸入した空気に含まれる塵埃の除去処理をした大気中の水分から、除湿器の原理を応用して原水製造部３で原水を生成する。
【０００９】
前記、集塵フィルター付き吸入ファン２でもって、大気中から本体内に吸入した空気から湿気を取り除く除湿器の原理には、乾式法と湿式法がある。
【００１０】
乾式法には、回転式と静止式がある。回転式は、回転する吸湿ロータとファンとヒータの構成で除湿をする。本発明の浄水器１の原水製造部３は、前記除湿した水蒸気を回収して、原水を生成する。一方静止式は、吸湿素子とファンとヒータの構成で除湿をする。本発明の浄水器１の原水製造部３は、前記除湿した水蒸気を回収して、原水を生成する。
【００１１】
湿式法は、蒸発器を有していて、蒸発器により空気中の温度を下げて水蒸気を結露させ除湿をする。本発明の浄水器１の原水製造部３は、前記結露した水滴を回収して、原水を生成する。
【００１２】
前記、乾式法除湿器および湿式法除湿機の原理を応用して原水製造部３で生成した原水は、原水貯留槽４に貯留する。
【００１３】
以上が大気中の水分から原水を生成する過程である。原水貯留槽４から供給される原水は、原水供給パイプ８により活性炭フィルター５に接続、供給される。そして、以下調理用および飲料用などに適した生活用水を得るフィルター装置について図２を参照して詳述する。
【００１４】
前記、活性炭フィルター５は、筒状の外殻ケース９内の上下部にセディメントフィルター１０、１１が配置され、両フィルター１０、１１間に高密度の抗菌粒状活性炭１２が充填されており、外殻ケース９の上部中央には前記原水供給パイプ８の末端が接続され、外殻ケース９の下部中央の出口に接続パイプ１３が、又、同下部には廃水パイプ１４が接続されて、活性炭フィルター５を構成している。
【００１５】
前記、中空糸膜フィルター６は、筒状の外殻ケース１５内の中心部に、外周に多数の微細孔１６を備えた排出パイプ１７が配置され、排出パイプ１７の周りにポリスルフォン多孔質中空糸膜からなるフィルター１８が設置され、外殻ケース１５の上部中央には前記接続パイプ１３の末端が、又、同下部中央の排出パイプ１７の出口に接続パイプ１９が、又、同下部には廃水パイプ２０が接続されて、中空糸膜フィルター６を構成している。
【００１６】
前記、逆浸透膜フィルター７は、筒状の外殻ケース２０内の中心部に、外周に多数の微細孔２１を備えた排出パイプ２２が配置され、排出パイプ２２の周りに、０．０００１ミクロンの超微細孔径のポリアミド系ろ過膜からなるフィルター２３が設置され、外殻ケース２０の上部中央には、前記接続パイプ１９の末端が接続され、外殻ケース２０の下部中央に排出パイプ２２の末端から外部への接続パイプ２４が、また同下部には廃水パイプ２５が接続されて、逆浸透膜フィルター７を構成している。
【００１７】
以上のように原水製造部３の集塵フィルターで大気中の塵埃の除去処理を終えて生成した原水は、原水供給パイプ８から活性炭フィルター５のセディメントフィルター１０に送られ、抗菌粒状活性炭１２を通過する間に、原水製造部３の集塵フィルターで除去できないホコリやゴミなどの不純物をろ過および水中のカビ臭、金属臭などの微量臭気を取り除いて水質改善を行い、セディメントフィルター１１を通過し外殻ケース９の下部出口から接続パイプ１３に送られる。又、前記ろ過された不純物は廃水パイプ１４から廃棄される。
【００１８】
前記、活性炭フィルター５で処理された原水は、接続パイプ１３から中空糸膜フィルター６に送られ、０．１から０．０１マイクロメートルの中空状の微細な穴を備えたポリスルフォン多孔質中空糸膜からなるフィルター１８が、活性炭フィルター５ではろ過できない微細な濁り、有害な細菌類などを除去し、外殻ケース１５の下部中央に配置された排出パイプ１７の下部出口から接続パイプ１９に送られる。又、前記除去された有機物などは、廃水パイプ２０から廃棄される。
【００１９】
前記、中空糸膜フィルター６で処理された原水は、接続パイプ１９から逆浸透膜フィルター７の０．０００１ミクロンの超微細孔径のポリアミド系ろ過膜からなるフィルター２３が、中空糸膜フィルター６ではろ過できないウイルス、放射性物質、ダイオキシン、農薬、水銀などを除去し、原水は浄化水となり、外殻ケース２０の下部中央に配置された排出パイプ２２の下部出口から接続パイプ２４を通して外部へ送られる。又、前記除去された化学物質および有機物などは廃水パイプ２５から廃棄される。
【００２０】
以上、無尽蔵水資源である大気中の水分から、除湿器の原理を応用して原水製造部で生成された原水は、活性炭フィルター５と中空糸膜フィルター６と逆浸透膜フィルター７で順次ろ過される過程で不純物などが高精度で確実に除去されて浄化され、調理用や飲料用に適した生活用水となる。
【００２１】
【発明の効果】
以上説明したように、本発明の大気中の水分を用いた浄水器は、設置の一例として、渇水による水不足地域、上水道の配水設備がされていない場所、水質汚濁や水質汚染度の高い生活用水を使わざるをえない場所や地域などで調理用や飲料用に適した生活用水を供給することができる。
【図面の簡単な説明】
【図１】本発明の第１の実施例である大気中の水分を用いた浄水器を示す概略正面図である。
【図２】同浄水器に用いられるフィルターの流れ図である。
【符号の説明】
１  浄水器
２  集塵フィルター付き吸入ファン
３  原水製造部
４  原水貯留槽
５  活性炭フィルター
６  中空糸膜フィルター
７  逆浸透膜フィルター
８  原水供給パイプ
９、１５、２０  外殻ケース
１０、１１  セディメントフィルター
１２  抗菌粒状活性炭
１３、１９、２４  接続パイプ
１４、２０、２５  廃水パイプ
１７、２２  排出パイプ
１８、２３  フィルター
【図１】
2004190235.tif 000003
【図２】
2004190235.tif 000004